(57)【要約】【課題】スチーム量を増やしても水漏れせず、しわ伸ばしを効率よく仕上げることができるスチームアイロンを実現する。【解決手段】サーミスタ３をベース１のヒータ２近傍に取り付けるとともに、気化室６はサーミスタ３を両側から囲むように形成したもので、スチーム時、温度低下する気化室の温度を両側で受感し、より素早く検知するようになり、ベース１を適正な温度に制御してアイロンかけ面から外部への漏水を防止できるのである。【選択図】図１
2007105092.tif 000002
【特許請求の範囲】
【請求項１】
ヒータによって加熱されるベースと、このベースに形成した気化室と、前記ベースの温度を検知するサーミスタと、前記サーミスタの検知信号によって前記ベースの温度を制御する温度制御手段を備え、前記サーミスタを前記ベースの前記ヒータ近傍に取り付けるとともに、前記気化室は前記サーミスタを両側から囲むように形成したスチームアイロン。
【請求項２】
気化室のサーミスタを両側から囲むように形成した部分の底面は、前記気化室の他の部分の底面より低く形成した請求項１記載のスチームアイロン。
【請求項３】
気化室のサーミスタを両側から囲むように形成した部分の少なくとも一方は、気化室の最後方部に形成した請求項１または２記載のスチームアイロン。
【発明の詳細な説明】
【技術分野】
【０００１】
本発明は、衣類等のしわ伸ばしに用いられるスチームアイロンに関するものである。
【背景技術】
【０００２】
従来、この種のスチームアイロンは、温度を検知するサーミスタをヒータと気化室の近傍に取り付けている（例えば、特許文献１参照）。
【０００３】
これは、アイロンの温度制御において温度を検知するサーミスタの取付位置について説明すると、ドライ時はヒータからの熱を素早く受感できるヒータ近傍が最適であり、スチームアイロンとして使用する場合は、水漏れしない温度を維持するために、気化室近傍が望ましいためである。
【特許文献１】特開昭５８−１１２５９９号公報
【発明の開示】
【発明が解決しようとする課題】
【０００４】
しかしながら、このような従来の構成では、温度低下する気化室の熱受感の応答がいまだ不十分で、近年、増量スチームで仕上がり効果を高めたアイロンなどでは特に水漏れしやすいという課題があった。
【０００５】
本発明は、前記従来の課題を解決するもので、スチーム量を増やしても、水漏れしにくいスチームアイロンを提供することを目的としたものである。
【課題を解決するための手段】
【０００６】
前記従来の課題を解決するために、本発明のスチームアイロンは、ヒータによって加熱されるベースと、このベースに形成した気化室と、前記ベースの温度を検知するサーミスタと、前記サーミスタの検知信号によって前記ベースの温度を制御する温度制御手段を備え、前記サーミスタを前記ベースの前記ヒータ近傍に取り付けるとともに、前記気化室は前記サーミスタを両側から囲むように形成したもので、スチーム時、温度低下する気化室の温度を両側で受感し、より素早く検知するようになり、ベースの温度を適正な温度に制御してアイロンかけ面から外部への漏水を防止できるのである。
【発明の効果】
【０００７】
本発明は、スチーム量を増やしても水漏れせず、しわ伸ばしを効率よく仕上げることができるスチームアイロンを実現することができる。
【発明を実施するための最良の形態】
【０００８】
第１の発明は、ヒータによって加熱されるベースと、このベースに形成した気化室と、前記ベースの温度を検知するサーミスタと、前記サーミスタの検知信号によって前記ベースの温度を制御する温度制御手段を備え、前記サーミスタを前記ベースの前記ヒータ近傍に取り付けるとともに、前記気化室は前記サーミスタを両側から囲むように形成したもので、スチーム時に温度低下する気化室の温度を素早く検知し、ベースの温度を最適な温度に回復制御することができる。
【０００９】
第２の発明は、上記第１の発明において、気化室のサーミスタを両側から囲むように形成した部分の底面は、前記気化室の他の部分の底面より低く形成したもので、スチーム時、気化室内に溜まる熱水は最も低い底面に集まり、サーミスタ周辺の気化室温度を一層冷却し、その分、素早く適正なベースの温度制御をおこなうことができる。
【００１０】
第３の発明は、上記第１または第２の発明において、気化室のサーミスタを両側から囲むように形成した部分の少なくとも一方は、気化室の最後方部に形成したもので、アイロンを垂直にしてスチームを噴出した場合、気化室内に溜まる熱水は最後方部に集まり、サーミスタ周辺の気化室温度を一層冷却し、その分、素早く適正なベースの温度制御をおこなうことができる。
【００１１】
以下、本発明の実施の形態について、図面を参照しながら説明する。なお、本実施の形態によって本発明が限定されるものではない。
【００１２】
（実施の形態１）
図１は本発明の第１の実施の形態におけるスチームアイロンのベースの平面図、図２は同スチームアイロンの要部断面図である。
【００１３】
図１、図２において、１はヒータ２により加熱されるベースで略Ｕ字状のヒータ２が埋設されている。３はベース１の温度を検知するサーミスタでヒータ２近傍に取付けられ、ハンドル４内部に収納した温度制御手段である温度制御基板５に電気接続されている。６はスチームを発生させるための気化室である。
【００１４】
７は気化室６に供給する水を貯える水タンク、８は外部操作によって水タンク７の水を気化室３への供給、停止を切り換えるスチームダイヤルである。９は多量の水を気化室６へ供給して増量スチームを発生させるポンプ装置で、その操作ボタン１０は水タンク７の上部に配置され、また、水の吸い込み口１１はシリコン製のホース１２を水タンク７後方に延設して構成されている。
【００１５】
ここで、気化室６は、後方の一部をサーミスタ３を両側から挟み囲むように後方に膨出させて形成するとともに、サーミスタ３を挟み囲む気化室部は気化室６後方部に位置し、かつその気化室底面６ａは他の部分の気化室底面６ｂより低く設けている。
【００１６】
そして、気化室６のサーミスタ３を両側から挟み囲むように後方に膨出させて形成した部分は、ベース１の外寄りのヒータ２に近い側をヒータ２のほぼ真上に位置させるとともに、ベース１の内寄りの部分よりも後方へ延ばした形状としてある。そして、サーミスタ３は、気化室６の外寄りの後方膨出部とは反対側、すなわちサーミスタ３自身より内側でベース１に取り付けてある。
【００１７】
また、気化室６のサーミスタ３を両側から挟み囲むように後方に膨出させて形成した部分同士の間の外壁面は、サーミスタ３の先端に当接または近接させて位置させてある。
【００１８】
以上のように構成されたスチームアイロンの作用、動作について、以下に説明する。まず、通常のスチームアイロンかけについて説明すると、スチームダイヤル８を操作して水タンク７内の水を気化室３に供給され、供給された水は気化室６内で順次熱水、蒸気となり、ベース１のかけ面に設けられたスチーム穴から外部に噴出される。
【００１９】
このとき、気化室６の底面は熱を奪われて温度低下し、気化室６内に発生した熱水は気化室底面の低い所、すなわちサーミスタ３の取付け部周辺の気化室底面６ａに集まり、サーミスタをより効果的に冷却する。また、サーミスタ３の両側は気化室６壁面に挟まれていることから、サーミスタ３を一層冷却することができるので、その分素早く温度検知し、適正な温度に回復するように温度制御することができる。その結果として、水漏れしにくくなるのである。
【００２０】
さらに、サーミスタ３は、その内側でベース１に取り付けるようにしたので、気化室６の外寄りの後方膨出部を大きく後方に延出させることができ、かつ、サーミスタ３をその内側に近接させて配置することが容易となるので、サーミスタ３による気化室６の温度低下の検知をより素早くすることができる。
【００２１】
次に、衣類例えば上着などをハンガーに吊るした状態でアイロンかけする場合について説明する。アイロンを垂直に立てた状態でポンプ装置９の操作ボタン１０を操作すると水タンク７内の水は吸い込み口１１よりポンプ装置９を介して気化室６内に多量の水が供給される。供給された水は瞬時に気化し、外部に噴出され、多量のスチームで衣類に、風合いをもたらす。
【００２２】
このとき、気化室６内に発生する熱水は気化室６後方に移動し集まる。サーミスタ３はベース１の最後方部に位置させ、しかもその両側を囲むように気化室６の最後方部を後方に膨出させて形成してあるので、気化室６の後方部に取り付けてあるサーミスタ３を素早く冷却し、以下通常のスチームアイロンかけの場合と同様に作用して、ベース１の温度を適正な温度に回復するように温度制御することができる。
【産業上の利用可能性】
【００２３】
以上のように、本発明にかかるスチームアイロンは、スチーム量を増やしても、水漏れしにくいスチームアイロンを提供するもので、家庭用、業務用のスチームアイロンに広く適用できる。
【図面の簡単な説明】
【００２４】
【図１】本発明の実施の形態１におけるスチームアイロンのベースの平面図
【図２】同スチームアイロンの要部断面図
【符号の説明】
【００２５】
１  ベース
２  ヒータ
３  サーミスタ
５  温度制御基板（温度制御手段）
６  気化室
７  水タンク
【図１】
2007105092.tif 000003
【図２】
2007105092.tif 000004